【手続補正書】
【提出日】平成17年12月7日(2005.12.7)
【手続補正１】
【補正対象書類名】明細書
【補正対象項目名】発明の名称
【補正方法】変更
【補正の内容】
【発明の名称】ディスク記録装置、ディスクの記録方法、光ディスク再生装置、光ディスクの再生方法及び光ディスク
【手続補正２】
【補正対象書類名】明細書
【補正対象項目名】特許請求の範囲
【補正方法】変更
【補正の内容】
【特許請求の範囲】
【請求項１】
主のデータに応じて、主の変調信号を生成する主の変調信号生成手段と、
前記主の変調信号に応じた記録用ビームの照射によりディスクにピット列又はマーク列を形成する記録用ビーム照射手段と、
副のデータに応じて、副の変調信号を生成する副の変調信号生成手段と、
前記ビット列又はトラック列によるトラックのトラックセンターを基準にして、前記副の変調信号に応じて、前記記録用ビームの照射位置を前記ディスクの内外周方向に変位させる位置変位手段と
を備えることを特徴とするディスク記録装置。
【請求項２】
前記副の変調信号生成手段は、
所定の２進数係列を生成する２進数係列生成手段と、
前記２進数係列に基づいて、前記副のデータより前記副の変調信号を生成する変調手段と
を有することを特徴とする請求項１に記載のディスク記録装置。
【請求項３】
前記２進数系列は、
Ｍ系列の乱数である
ことを特徴とする請求項２に記載のディスク記録装置。
【請求項４】
前記主の変調信号生成手段は、
前記副のデータにより前記主のデータを暗号化して前記主の変調信号を生成する
ことを特徴とする請求項１に記載のディスク記録装置。
【請求項５】
前記主の変調信号生成手段は、
所定の基本周期の整数倍の周期により前記記録用ビームの光量が切り換わるように前記主の変調信号を生成する
ことを特徴とする請求項１に記載のディスク記録装置。
【請求項６】
前記副の変調信号生成手段は、
２０個以上の前記ピット又はマークに対して、前記副のデータの１ビットが対応するように、前記副の変調信号を生成する
ことを特徴とする請求項１に記載のディスク記録装置。
【請求項７】
主のデータに応じて、主の変調信号を生成し、
前記主の変調信号に応じた記録用ビームの照射によりディスクにピット列又はマーク列を形成し、
副のデータに応じて、副の変調信号を生成し、
前記副の変調信号に応じて、前記記録用ビームの照射位置を前記ディスクの内外周方向に変位させる
ことを特徴とするディスクの記録方法。
【請求項８】
所定の２進数係列に基づいて、前記副のデータより前記副の変調信号を生成する
ことを特徴とする請求項７に記載のディスクの記録方法。
【請求項９】
前記２進数系列が、Ｍ系列の乱数である
ことを特徴とする請求項８に記載のディスクの記録方法。
【請求項１０】
前記副のデータにより前記主のデータを暗号化して前記主の変調信号を生成する
ことを特徴とする請求項７に記載のディスクの記録方法。
【請求項１１】
所定の基本周期の整数倍の周期により前記記録用ビームの光量が切り換わるように前記主の変調信号を生成する
ことを特徴とする請求項７に記載のディスクの記録方法。
【請求項１２】
２０個以上の前記ピット又はマークに対して、前記副のデータの１ビットが対応するように、前記副の変調信号を生成する
ことを特徴とする請求項７に記載のディスクの記録方法。
【請求項１３】
らせん状に又は同心円状のトラックに沿ってピット列又はマーク列が形成されてなる光ディスクにおいて、
前記トラックに沿った方向の、前記ピット又はマークの長さと、前記ピット間の間隔又は前記マーク間の間隔とにより、主のデータが記録され、
前記トラックのトラックセンターを基準にした内外周方向への前記ピット又はマークの変位により、副のデータが記録された
ことを特徴とする光ディスク。
【請求項１４】
前記副のデータと所定の２進数系列との演算処理結果に対応して、前記ピット又はマークが変位してなる
ことを特徴とする請求項１３に記載の光ディスク。
【請求項１５】
前記２進数系列が、Ｍ系列の乱数である
ことを特徴とする請求項１４に記載の光ディスク。
【請求項１６】
前記主のデータが前記副のデータにより暗号化されて記録されてなる
ことを特徴とする請求項１３に記載の光ディスク。
【請求項１７】
２０個以上の前記ピット又はマークに対して、前記副のデータの１ビットが割り当てられてなる
ことを特徴とする請求項１３に記載の光ディスク。
【請求項１８】
前記トラックセンターを基準にした内外周方向への前記ピット又はマークの変位が、トラックピッチの１／５０以下に設定された
ことを特徴とする請求項１３に記載の光ディスク。
【請求項１９】
光ディスクにレーザービームを照射して得られる戻り光より、前記光ディスクに形成されたピット列又はマーク列に応じて信号レベルが変化する再生信号を検出する再生信号検出手段と、
前記再生信号を２値識別して前記ピット列又はマーク列により記録された主のデータを再生する主の復調手段と、
トラックセンターを基準にした内外周方向への前記ピット又はマークの変位に応じて信号レベルが変化する変位検出信号を出力する変位検出手段と、
前記再生信号を基準にして前記変位検出信号を信号処理することにより、前記トラックセンターを基準にした内外周方向への前記ピット又はマークの変位により記録された副のデータを再生する副の復調手段と
を備えることを特徴とする光ディスク再生装置。
【請求項２０】
前記副の復調手段は、
前記ピット又はマークに対応してビットが変化する２進数系列を生成する２進数系列生成手段と、
前記２進数系列の論理レベルを基準にして前記変位検出信号の信号レベルを積算する積算手段と、
前記積算結果を処理して前記副のデータを検出する積算結果処理手段と
を有することを特徴とする請求項１９に記載の光ディスク再生装置。
【請求項２１】
前記２進数系列が、Ｍ系列の乱数である
ことを特徴とする請求項２０に記載の光ディスク再生装置。
【請求項２２】
前記主の復調手段は、
前記副のデータにより前記主のデータの暗号化を解除して出力する
ことを特徴とする請求項１９に記載の光ディスク再生装置。
【請求項２３】
光ディスクにレーザービームを照射して得られる戻り光より、前記ピット列又はマーク列により記録された主のデータを再生し、
トラックセンターを基準にした内外周方向への前記ピット又はマークの変位により記録された副のデータを再生する
ことを特徴とする光ディスクの再生方法。
【手続補正３】
【補正対象書類名】明細書
【補正対象項目名】０００１
【補正方法】変更
【補正の内容】
【０００１】
【発明の属する技術分野】
本発明は、ディスク記録装置、ディスクの記録方法、光ディスク再生装置、光ディスクの再生方法及び光ディスクに関し、例えばオーディオデータを記録する光ディスクと、この記録装置、再生装置に適用することができる。本発明は、光ディスクの内外周方向にピット等を変位させてキーデータ等の副のデータを記録することにより、ピット列等によるデータ列の再生には何ら影響を与えないで、このデータ列を再生する光ピックアップにより再生可能に、かつ違法コピーによってはコピーすることが困難に、種々のデータを記録することができるようにする。
【手続補正４】
【補正対象書類名】明細書
【補正対象項目名】０００８
【補正方法】変更
【補正の内容】
【０００８】
本発明は以上の点を考慮してなされたもので、ピット列等によるデータの再生には何ら影響を与えないで、このピット列等によるデータを再生する光ピックアップにより再生可能に、かつ違法コピーによってはコピーすることが困難に、違法コピーを禁止するデータ等を記録することができるディスク記録装置、ディスクの記録方法、さらにはこれらによる光ディスク、この光ディスクに適用される光ディスク再生装置、光ディスクの再生方法を提案しようとするものである。
【手続補正５】
【補正対象書類名】明細書
【補正対象項目名】０００９
【補正方法】変更
【補正の内容】
【０００９】
【課題を解決するための手段】
かかる課題を解決するため請求項１又は請求項７に係る発明においては、ディスク記録装置又はディスクの記録方法に適用して、主のデータに応じて、主の変調信号を生成し、この主の変調信号に応じた記録用ビームの照射によりディスクにピット列又はマーク列を形成し、副のデータに応じて、副の変調信号を生成し、この副の変調信号に応じて、記録用ビームの照射位置をディスクの内外周方向に変位させる。
【手続補正６】
【補正対象書類名】明細書
【補正対象項目名】００１３
【補正方法】変更
【補正の内容】
【００１３】
請求項１又は請求項７に係る構成によれば、主のデータに応じて、主の変調信号を生成し、この主の変調信号に応じた記録用ビームの照射によりディスクにピット列又はマーク列を形成し、副のデータに応じて、副の変調信号を生成し、この副の変調信号に応じて、記録用ビームの照射位置をディスクの内外周方向に変位させれば、この内外周方向の変位量の選定によりピット又はマークにより記録された主のデータの再生を損なわないように副のデータを記録することができる。また副のデータにおいては、違法コピーを禁止する等の種々のデータを割り当てて、違法コピーによってはコピーすることが困難に、又主のデータを再生する光ピックアップにより再生可能に記録することができる。